(57)【特許請求の範囲】
【請求項１】
管状の注出路を備えたスパウトの上端に嵌着されるアダプターには筒状部が形成され、その筒状部の上端にフランジ部を備え、
前記筒状部の上端近傍に注出口が形成され、
前記フランジ部には可撓性で弾力性を有する凹状部が一体成形で連設され、該凹状部の内面で前記注出口寄りに注出口開閉用の引掛け孔を有する帯板状のレバーが一体成形で立設され、
前記フランジ部の注出口と対向する側に嵌着枠が嵌着され、その嵌着枠上に断面形状がくの字状に曲げられ、注出口寄りの前記帯板状のレバーの引掛け孔に挿入係着される挿入部を有する操作桿が設けられ、
前記スパウトに嵌着された状態で前記注出口は、前記可撓性で弾力性を有する凹状部で閉鎖されるように構成されている注出口付き液体容器用アダプターであって、
前記注出口と対向する側の筒状部のフランジ部に嵌着枠が嵌着され、その嵌着された嵌着枠の上側面に設けられている操作桿の注出口方向先端の挿入部が凹状部に立設する帯板状のレバーの引掛け孔に挿入し、係着され、
前記操作桿は、注出口方向に倒された状態で、上方にくの字状に曲げられ、
前記操作桿の注出口方向の先端に係止部が設けられていることを特徴とする注出口付き液体容器用アダプター。
【発明の詳細な説明】
【技術分野】
【０００１】
本発明は、バックインボックス用の内袋等の容器に取り付けられる液体注出装置を構成するもので、その液体注出装置を構成する筒状に突出したスパウトに装着される注出口付き液体容器用アダプターに関する。詳しくは、キャップに設けられた注出口の開閉が容易で、且つ開口時には開口状態の保持が容易で液体の注出が安定して成しえることのできる注出口付き液体容器用アダプターに関する。
【背景技術】
【０００２】
従来、例えば、合成樹脂フィルムでなる内袋に注出用装置を取付け、この注出用装置を段ボールあるいは板紙等で形成された外箱の外面に出して前記の内袋をこの外袋に保持したバックインボックスが知られている。
【０００３】
このバックインボックスの内袋に取付けられる注出用装置として、筒状に突出したスパウトに嵌合される注出口付きアダプターが知られている。この注出口付き液体容器用アダプターは、容器内の液体内容物を小分けして注出する際に、このアダプターに設けられている小さな注出口を開口して行うもので、特に業務用のバックインボックスなどに適用されている。
【０００４】
上記注出口付き液体容器用キャップの事例として、例えば、図６の概略断面図に示すように、バックインボックス等の内袋に取り付けられるもので、筒状に突出しているスパウト１０１に嵌合される注出口付き液体容器用キャップ１００は、封止時にはスパウト１０１の先端１０２と注出口１０３の内側をアダプターに連設している可撓性で弾力性を有する凹状部１０４で圧するように塞いでいるものがある（例えば、特許文献１参照）。
【０００５】
この注出口付き液体容器用キャップ１００の注出口１０３の開口は、前記キャップの可撓性で弾力性を有する凹状部１０４の内側に一体となっているリング状のつまみ１０５の上から指１０６を入れて上方向（Ｐ）に引っ張り上げると、可撓性で弾力性を有する凹状部１０４がスパウト１０１の先端１０２と注出口１０３の内側から離されることによって、注出口１０３を全開状態にしてから容器を傾け、その容器内の液体を開口された注出口１０３から注出していた。
【０００６】
また、容器内の液体を注出するときに、注出量を容易に調整することができる注出量の切り替え可能な注出口付きキャップ（例えば、特許文献２参照）も知られている。
【０００７】
この注出量の切り替え可能な注出口付きキャップは注出口の内側を塞いでいる封止部の上面に突起部が付着し、しかも、該突起部の先端部にリング状タブが取り付けられている。
【０００８】
さらに、必要量の内容物の注出が楽に行えるとともに、内容物の注出を続行する場合の作業を簡単にすることのできる容器の注出装置および注出装置用キャップ（例えば、特許文献２参照）も知られている。
【０００９】
この容器の注出装置および注出装置用キャップは管状注出路を備えたスパウトと、スパウトの出口側端部に嵌着される筒状部を備えたキャップとからなり、キャップの筒状部の上端には可撓性を有する凹状部が連設され、凹状部のほぼ中央に開閉用つまみが設けられ、キャップの筒状部の上端部付近には注出口が形成され、注出口はキャップをスパウトに嵌着した状態において閉鎖されるように構成された、バッグインボックス形式の容器の注出装置において、キャップの開閉用つみに、指かけ可能な引掛け部を設けるとともに、引掛け部に指を掛けて引き上げることにより、凹状部が逆側に反転した状態となって、注出口の閉鎖状態が解除されるように構成されている。
【００１０】
また、容器内の液体等を注出口から注出する際に、注出口を開口状態にロックする機構が設けられている液体容器用キャップ（例えば、特許文献４および５参照）及び注出口用キャップ部材（例えば、特許文献６参照）が知られている。
【００１１】
以下に、上記先行技術文献を示す。
【特許文献１】特開２００２−３２６６５１号公報
【特許文献２】特開２００３−２０５９５９号公報
【特許文献３】特開２００４−１８２２７７号公報
【特許文献４】特開平０７−７３１１９号公報
【特許文献５】特開平０２−１４８９９９号公報
【特許文献６】実開平０４−１２４９１２号公報
【発明の開示】
【発明が解決しようとする課題】
【００１２】
しかしながら、上記従来技術である上記注出口付き液体容器用キャップ（アダプター）では、容器内の液体を小分けするため小面積の注出口から少量づつ注出している間（長時間）中、容器を傾けながら常にリング状のつまみまたは突起部の先端部のリング状タブに指を入れて引っ張り上げなければならない。
【００１３】
このため、指が痛くなるという問題とともに、引っ張り上げているもう一方の手で容器を傾けて残りの液体を注出しなければならないため、注出作業の安定さに欠ける（零したりする）危惧があった。
【００１４】
さらに、注出口を開口状態にロックする機構が設けられている液体容器用キャップ、または、注出口用キャップ部材はキャップの構造が複雑になり、製造コストが上昇すると言う問題がある。
【００１５】
また、注出口を開口状態にロックする機構が設けられている液体容器用キャップ、または、注出口用キャップ部材はロックする際に、凹部に設けられている突起部等が短いため、注出口の開口に指先に力が掛かると言う問題がある。
【００１６】
本発明は、上記従来の問題に鑑みてなされたものであり、その課題とするところは、バックインボックス等の内袋に取り付けられる液体注出用装置として、筒状に突出したスパウトに嵌着される注出口付き液体容器用アダプターにおいて、この注出口の開閉が容易で、かつ開口時には長時間の開口状態の保持、すなわち常に指で引っ張り上げていなくても容易に、且つ、僅かの力で液体の注出が安定して行えることのできる注出口付き液体容器用アダプターを提供することである。
【課題を解決するための手段】
【００１７】
上記問題点を解決するために、本発明の請求項１に係る発明は、
管状の注出路を備えたスパウトの上端に嵌着されるアダプターには筒状部が形成され、その筒状部の上端にフランジ部を備え、
前記筒状部の上端近傍に注出口が形成され、
前記フランジ部には可撓性で弾力性を有する凹状部が一体成形で連設され、該凹状部の内面で前記注出口寄りに注出口開閉用の引掛け孔を有する帯板状のレバーが一体成形で立設され、
前記フランジ部の注出口と対向する側に嵌着枠が嵌着され、その嵌着枠上に断面形状がくの字状に曲げられ、注出口寄りの前記帯板状のレバーの引掛け孔に挿入係着される挿入部を有する操作桿が設けられ、
前記スパウトに嵌着された状態で前記注出口は、前記可撓性で弾力性を有する凹状部で閉鎖されるように構成されている注出口付き液体容器用アダプターであって、
前記注出口と対向する側の筒状部のフランジ部に嵌着枠が嵌着され、その嵌着された嵌着枠の上側面に設けられている操作桿の注出口方向先端の挿入部が凹状部に立設する帯板状のレバーの引掛け孔に挿入し、係着され、
前記操作桿は、注出口方向に倒された状態で、上方にくの字状に曲げられ、
前記操作桿の注出口方向の先端に係止部が設けられていることを特徴とする注出口付き液体容器用アダプターである。
【発明の効果】
【００１９】
本発明の注出口付き液体容器用アダプター以上の構成からなるので、容器内の液体等を小分けする際に、操作桿の先端を僅かな力で押すだけで注出口を容易に開口することができる。このため、力の弱い、お年寄りや身体の弱い人でも注出口を容易に開口することができる。
【００２０】
また、僅かな力で注出口が開口できるので、注出口から注出する液体等の注出量の調整が容易にでき、且つ、注出作業が安定して行える。
【００２１】
さらに、本発明の注出口付き液体容器用アダプターは構造が複雑でないため、金型の作製等のコストは安価で、且つ、効率良く製造できる。
【００２２】
また、本発明の注出口付き液体容器用アダプターはアダプターのフランジ部に嵌着枠が嵌着されている。そして、嵌着枠は取り外しも容易にできる。このため、注出口を開口する時だけに、フランジ部に嵌着枠を嵌着することにより、容器内の液体等を勝手に注出口から取り出すことができない。
【発明を実施するための最良の形態】
【００２３】
本発明の注出口付き液体容器用アダプターを実施の形態に沿って以下に図面を参照にしながら詳細に説明する。
【００２４】
図１は、本発明の注出口付き液体容器用アダプターが容器のスパウトに用いられた一実施例の断面を示す断面図である。
【００２５】
図１に示す、本発明の注出口付き液体容器用アダプター１を用いる容器としては、特に限定されるものではないが、プラスチックフィルム３０から製袋されたプラスチックバック２０に孔が開けられ、その孔にスパウト５０が熱溶着等により取り付けられた容器、例えば、バッグインボックス用内袋等に好適である。
【００２６】
そして、バッグインボックス用内袋等の容器の大きさとしては、特に限定されるもので
はないが、５乃至２０リットル入りが好適である。
【００２７】
また、バッグインボックス用のスパウト５０は、例えば、段ボール、板紙などよりなるボックスの内側に収納されているプラスチック製バック２０に図１に示すように貼着されている。
【００２８】
また、バックインボックス用のスパウト５０の構造は、プラスチック製バッグ２０の内面にシール部４０で接着できる面積のフランジ部５１と、フランジ部５１の中心部から内容物を注出入する際の管状の注出路を形成する周壁筒５２から形成されている。
【００２９】
前記周壁筒５２の先端部は液を注出入する開口部５３であり、前記フランジ部５１と前記開口部５３との間の周壁筒５２の外側には、少なくとも上部リブ５４と、その下方にリブからなるガイド板５５が設けられている。
【００３０】
そして、上述したようにプラスチック製バッグ２０の内面がスパウト５０のフランジ部５１の上側面でシール部４０を介して貼着されており、バッグ２０に突設するスパウト５０が設けられた構造からなっている。
【００３１】
また、バッグインボックス用スパウト５０は、射出成形方法により作製される。そして、射出成形方法で用いられるスパウト５０の樹脂は熱可塑性樹脂ならば特に制約されない。
【００３２】
例えば、低密度ポリエチレン、中密度ポリエチレン、高密度ポリエチレン、線状低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂、ポリビニル系樹脂など公知の樹脂が用いられる。
【００３３】
また、上記樹脂を用いてスパウト５０を成形する際には、必要に応じて一般的な添加剤として、例えば、紫外線吸収剤、帯電防止剤、顔料、充填剤、その他等を使用することができる。その添加量としては、極微量から数１０％まで、その目的に応じて任意に添加することができる。そして、公知の射出成形加工機等を用いてスパウト５０が成型加工される。
【００３４】
また、バッグインボックス用スパウト５０は、上述したように射出成形して得られる。その製造方法として、例えば、スパウト５０の軸方向（回動する口栓の回転軸線方向）に沿った割面を有する半割金型を用いてなる閉金型のキャビティ内に熱可塑性樹脂を射出されてスパウト５０が射出成形される。そして、射出成形後に、その半割金型を開いて軸線方向（口部の方向）にエジェクトすることによって成形されたスパウト５０を取り出すという方法等が用いられる。
【００３５】
また、プラスチック製バッグ２０は、ガスバリヤー性、耐擦傷性、ピンホール性等を付与する単体フィルムあるいは積層フィルムが用いられる。さらに、収納物の量が５Ｌ、１０Ｌ、２０Ｌのように多い場合は、バッグ２０の損傷による内容物の洩れを防ぐためにフィルムを適宜二重ないし三重に重ね合わせて製袋する。そして、多重袋形式のバッグ２０とする方法が用いられる。
【００３６】
また、該バッグ２０に積層フィルムを用いた際、積層フィルムの最内面層、即ち、接液面となるシーラント層には、ヒートシール強度のほか、低温ヒートシール性、耐ピンホール性等に優れたエチレン−酢酸ビニル共重合体、あるいは、線状低密度ポリエチレン等が用いられる。
【００３７】
前記シーラント層は内容物によって、内容物の香りや味に対する影響が少なくない。このため、内容物によって、ポリオレフィン系樹脂の中でも分子量の分布の幅が狭く、共重合比も安定し、低温ヒートシール性、熱間シール性等にも優れている樹脂が適宜選択される。
【００３８】
そして、内容物の香りや味を損なうことなく、且つ、バッグ２０の内面同士が密着することなく、充填適性にも優れたバッグ２０が生産性よく製造される。
【００３９】
また、該バッグ２０に用いられる積層フィルムの、各々の層の積層は、２液硬化型ウレタン樹脂などの接着剤を用いて貼り合わせるドライラミネーション法、無溶剤接着剤を用いて貼り合わせるノンソルベントラミネーション法により積層する方法、樹脂を加熱溶融させてカーテン状に押し出し貼り合わせる押し出しラミネーション法などいずれも公知の方法により得ることができる。
【００４０】
特に、該バッグ２０に用いられる積層フィルムの、各々の層の積層は、ドライラミネーション用接着剤を用いて貼り合わせるドライラミネーション法を適用するのが好ましい。
【００４１】
前記ドライラミネーション用接着剤としては、２液型の硬化タイプのビニル系、（メタ）アクリル系、ポリアミド系、ポリエステル系、ポリエ−テル系、ポリウレタン系、エポキシ系等の接着剤を使用することができるが、２液硬化型ウレタン系接着剤が好ましく使用される。
【００４２】
上記の接着剤のコーティング法としては、例えば、ダイレクトグラビアロールコ−ト法、グラビアロールコート法、キスコート法、リバースロールコート法、フォンテン法、トランスファーロールコート法、その他等の方法で塗布することができる。
【００４３】
また、バッグ２０の形態は、特に限定はされず、例えば、従来公知の三方シール形式、四方シール形式、ピロー形式等の平パウチの他、ガセットパウチ、或いは、それらの変形タイプ等、いずれの形態も採ることができる。
【００４４】
また、該バッグ２０のフィルム３０内面とスパウト５０のフランジ部５１の上面との貼着は、熱溶着、例えば、加熱シール法、インパルスシール法、超音波熱溶着法等のいずれかの方法により成される。
【００４５】
そして、本発明の注出口付き液体容器用アダプター１は図１に示すようにスパウト５０の出口側端部（先端）に嵌着されている。また、本発明の注出口付き液体容器用アダプター１の構成は、図１に示すように注出口付アダプター２と、その注出口付アダプター２の注出口９と反対方向の注出口付アダプター２のフランジ部８に嵌着される嵌着枠３と、その嵌着枠３の上側面に設けられている操作桿５等から形成されている。
【００４６】
また、スパウト５０の出口側端部（先端）にアダプター２が嵌着されるとスパウト５０の先端外周に設けられている上部リブ５４の凸部はアダプター２の注出口９に掛かった状態となる。
【００４７】
また、注出口付アダプター２は注出口付アダプター２の筒状部１１と凹状部１３とによって圧着される厚さを有している。このため、注出口付アダプター２は筒状部１１と凹状部１３との間にスパウト５０の先端部が位置して密閉圧着状態となる。そして、注出口９はスパウト２０の先端部によって閉鎖され、注出口９内外の流通が遮断される。
【００４８】
前記注出口付アダプター２は図２及び図３（ａ）（ｂ）に示すように、周囲に円形の筒状部１１を備え、この筒状部１１の上端近傍には注出口９が形成されている。
【００４９】
また、上記円形の筒状部１１上端のフランジ部８には可撓性で弾力性を有する凹状部１０が一体成形で設けられていて、そしてこの可撓性で弾力性を有する凹状部１０の内面で、円形の筒状部１１に設けられた注出口９寄りにこの注出口９を開閉するための帯板状のレバー１２と、この帯板状のレバー１２と連接する開閉用補助部１３と、この開閉用補助部１３と連接する連結部１４と、が凹状部１０と一体成形で設けられている。
【００５０】
そして、上述したように、スパウト５０に嵌着された状態の注出口９は、その内側とスパウト５０の先端とがこの可撓性で弾力性を有する凹状部１０で外側に圧するような状態で閉鎖されるように構成されている。
【００５１】
また、凹状部１０に立設して設けられている帯板状のレバー１２の注出口９寄り面の下部両端に開閉用補助部１３が設けられている。この開閉用補助部１３の注出口９寄りには、円弧状の低い連結部１４が設けられ、前記開閉用補助部１３と連接されている。
【００５２】
また、帯板状のレバー１２の上方方向には、フランジ部８に嵌着される嵌着枠３の上側面に設けられている操作桿５の先端に形成されている挿入部１６が挿入し、係着する引掛け孔１５が設けられている。
【００５３】
上述した注出口付アダプター２は軟質の合成樹脂又は合成ゴムを用いて一体的に成形される。前記軟質の合成樹脂又は合成ゴムとしては、例えば、ＥＰＤＭ（エチレンプロピレンジエン三元共重合体）等が用いられる。
【００５４】
次に、図４は本発明の注出口付き液体容器用アダプターの嵌着枠の概略を示す概略図で、（ａ）は嵌着枠の平面の概略を示す概略図であり、（ｂ）は嵌着枠の正面の概略を示す概略図である。
【００５５】
本発明の注出口付き液体容器用アダプター１の嵌着枠３は注出口付アダプター２のフランジ部８に嵌着される。前記フランジ部８に嵌着される嵌着枠３の断面の形状はコの字形状に形成され、フランジ部８の注出口９の反対方向の外周縁の半分に嵌着枠３が嵌着されている。
【００５６】
前記嵌着枠３の上側面には操作桿５が設けられている。前記操作桿５はくの字状に曲げられている。そして、操作桿５はくの字状に曲がる位置に、操作桿５を回転可能にするための操作桿軸６が左右に設けられている。
【００５７】
前記操作桿軸６は嵌着枠３の上側面の、注出口９の反対方向のフランジ部８上に操作桿５を回転可能に係止する操作桿軸受け部４の軸穴に挿入される。そして、くの字状に曲がっている操作桿５が操作桿軸受け部４を支点として上下に作動する。
【００５８】
また、操作桿５は注出口９の方向の先端に係止部１６が設けられている。そして、係止部１６は注出口付アダプター２の凹状部１０の内面で、一体成形で設けられている帯板状のレバー１２の引掛け孔１５に挿入し、係着される。
【００５９】
前記帯板状のレバー１２に設けられている引掛け孔１５に操作桿５の係止部１６の挿入は、帯板状のレバー１２が可撓性で弾力性を有する軟質の合成樹脂又は合成ゴムが用いられているために、凸部が先端に形成されている係止部１６が容易に挿入することができる。また、挿入され係着されている係止部１６は容易に抜くことができない。
【００６０】
また、操作桿５の操作桿軸６が回転可能に挿入される操作桿軸受け部４は嵌着枠３と一体成形されている。そして、嵌着枠３を成形する樹脂としては、熱可塑性樹脂ならば特に制約されない。
【００６１】
例えば、低密度ポリエチレン、中密度ポリエチレン、高密度ポリエチレン、線状低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂、ポリビニル系樹脂など公知の樹脂が用いられる。
【００６２】
また、上記樹脂を用いて嵌着枠３を成形する際には、一般的な添加剤として、例えば、紫外線吸収剤、帯電防止剤、難燃剤、耐火剤、防かび剤、顔料、充填剤、その他等を使用することができる。その添加量としては、極微量から数１０％まで、その目的に応じて任意に添加することができる。そして、公知の射出成形加工機等を用いて嵌着枠３が成型加工される。
【００６３】
また、操作桿５を成形する樹脂としては、嵌着枠３と同様、熱可塑性樹脂ならば特に制約されない。例えば、低密度ポリエチレン、中密度ポリエチレン、高密度ポリエチレン、線状低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレンなどのポリオレフィン系樹脂をアクリル酸、メタクリル酸、マレイン酸、無水マレイン酸、フマール酸、イタコン酸などの不飽和カルボン酸で変性した酸変性ポリオレフィン樹脂、ポリ酢酸ビニル系樹脂、ポリ（メタ）アクリル系樹脂、ポリビニル系樹脂など公知の樹脂を用いることができる。
【００６４】
また、嵌着枠３と同じ樹脂であっても異なる樹脂であっても良い。さらに、樹脂でなくとも良い。例えば、金属、アルミニウム、アルミニウム合金、ニッケル合金等を用いることができる。
【００６５】
上記樹脂を用いる場合の成形加工は公知の射出成形加工機等を使用することができる。また、金属、アルミニウム、アルミニウム合金、ニッケル合金等を用いる場合は、公知の工作機械またはプレス加工機等を使用して操作桿５を成形することもできる。
【００６６】
次に、図５は本発明の注出口付き液体容器用アダプターの概略を示す概略図で、（ａ）は注出口付き液体容器用アダプターの平面の概略を示す概略図であり、（ｂ）は図５（ａ）のＢ−Ｂ´線の断面を示す断面図である。
【００６７】
図５（ａ）（ｂ）に示すように本発明の注出口付き液体容器用アダプター１はアダプタ
ー２のフランジ部８に、操作桿５等が設けられている嵌着枠３がアダプター２のフランジ部８に嵌着される。
【００６８】
前記嵌着に際しては、断面形状がコの字状の嵌着枠３が注出口９の反対方向のフランジ部８から注出口９方向に向かって嵌着枠３のコの字状部分がフランジ部８を覆う状態で前進する。そして、嵌着枠３の上側面に設けられている操作桿５の係止部の凸部がアダプター２と一体成形されている帯板状のレバー１２に形成されている引掛け孔１５に挿入し係着される。
【００６９】
また、アダプター２のフランジ部８に嵌着枠３が嵌着された後、図１に示すようにバックインボックス５０等の容器に設けられているスパウト５０の周壁筒５２にアダプター２の筒状部１１が嵌着される。
【００７０】
また、バックインボックス５０等の容器に収納されている収納物等を注出する際には、アダプター２の筒状部１１外側の操作桿５をスパウト５０方向に押す。前記操作桿５を押すことにより、帯板状のレバー１２が形成されている部分の凹状部１０が引っ張り上げられ凸状となった状態となる。そして、これに伴い、この凹状部１０で閉鎖されていた注出口９が外部と通じるように開口されて収納物等（図示せず）を注出することができるようになる。
【図面の簡単な説明】
【００７１】
【図１】本発明の注出口付き液体容器用アダプターが容器のスパウトに用いられた一実施例の断面を示す断面図である。
【図２】本発明の注出口付き液体容器用アダプターの注出口付きアダプターの概略を説明するための斜視図である。
【図３】本発明の注出口付き液体容器用アダプターの注出口付きアダプターの概略を示す、（ａ）は注出口付きアダプターの平面の概略を示す概略図であり、（ｂ）は図３（ａ）のＡ−Ａ´線の断面を示す断面図である。
【図４】本発明の注出口付き液体容器用アダプターの嵌着枠の概略を示す概略図で、（ａ）は嵌着枠の平面の概略を示す概略図であり、（ｂ）は嵌着枠の正面の概略を示す概略図である。
【図５】本発明の注出口付き液体容器用アダプターの概略を示す概略図で、（ａ）は注出口付き液体容器用アダプターの平面の概略を示す概略図であり、（ｂ）は図５（ａ）のＢ−Ｂ´線の断面を示す概略断面図である。
【図６】従来の注出口付き液体容器用アダプターの一事例を開口するときの状態を表す概略断面図である。
【符号の説明】
【００７２】
１…注出口付き液体容器用アダプター
２…注出口付きアダプター
３…嵌着枠
４…操作桿軸受け
５…操作桿
６…操作桿軸
７…操作桿軸穴
８…フランジ部
９…注出口
１０…凹状部
１１…筒状部
１２…帯板状のレバー
１３…開閉用補助部
１４…連結部
１５…引掛け孔
１６…挿入部
２０…プラスチックバック
４０…シール部
５０…スパウト
５１…フランジ部
５２…周壁筒
５３…開口部
５４…上部リブ
５５…ガイド板
【図１】
0005151437.tif 000002
【図２】
0005151437.tif 000003
【図３】
0005151437.tif 000004
【図４】
0005151437.tif 000005
【図５】
0005151437.tif 000006
【図６】
0005151437.tif 000007